(57)【要約】【課題】音響再生装置において、目覚まし用の楽曲を再生する場合、予め楽曲を記憶しておき、記憶しておいた楽曲の中から楽曲を選択しておき、楽曲を変更したい場合は、予め楽曲を追加、楽曲の曲情報（曲調、楽曲テンポ）を予め解析しておかなければならなかった。【解決手段】楽曲を記憶するメモリと、タイマーと、楽曲データの属性を解析する解析部と、楽曲データを再生する再生部とを備え、解析部は、楽曲データが格納されたコンテンツサーバーから楽曲データのコンテンツリスト情報を受信し、コンテンツリストから楽曲データを選択して指定し、指定した楽曲データ及び楽曲データに付随する楽曲情報とを取り出し、目覚まし用の楽曲データとして適しているかどうかを判定し、適している場合、メモリに楽曲データ及び楽曲情報を記憶し、タイマーが指定された時刻に到達すると、メモリに記憶された楽曲データを再生する。【選択図】図１
2013195887.tif 000002
【特許請求の範囲】
【請求項１】
楽曲を記憶するメモリと、
ユーザーが指定する時刻を受け付け、指定された時刻まで時間の計時を行うタイマーと、
楽曲データの属性を解析する解析部と、
楽曲データを再生する再生部とを備え、
前記解析部は、楽曲データが格納されたコンテンツサーバーから楽曲データのコンテンツリスト情報を受信し、前記コンテンツリストから楽曲データを選択して指定し、指定した楽曲データ及び楽曲データに付随する楽曲情報とを取り出し、目覚まし用の楽曲データとして適しているかどうかを判定し、適している場合、前記メモリに楽曲データ及び楽曲情報を記憶し、前記タイマーが指定された時刻に到達すると、前記メモリに記憶された楽曲データを再生する、音響再生装置。
【請求項２】
前記解析部は、楽曲データの解析を楽曲データの先頭から所定時間までを解析する、請求項１記載の音響再生装置。
【請求項３】
前記解析部は、ラジオ放送を受信し、楽曲データの解析に代えて、ラジオ放送の放送内容を解析する、請求項１記載の音響再生装置。
【請求項４】
前記解析部は、楽曲データが目覚まし用の楽曲データに適していると判断した場合、前記メモリへ楽曲情報のみを記憶する、請求項１記載の音響再生装置。
【発明の詳細な説明】
【技術分野】
【０００１】
本発明は、あらかじめ設定しておいた時刻に楽曲を再生する音響再生装置に関する。
【背景技術】
【０００２】
従来のあらかじめ設定しておいた時刻に目覚ましとして楽曲を再生する音響再生装置として、携帯電話機に記憶されている楽曲の中から、天気情報サーバーから取得した天気情報に基づいて楽曲を選択または編曲し、再生するものがあった（例えば、特許文献１参照）。
【先行技術文献】
【特許文献】
【０００３】
【特許文献１】特開２００６−１９１３７６号公報
【発明の概要】
【発明が解決しようとする課題】
【０００４】
しかしながら、前記従来の構成では、携帯電話機に予め楽曲を記憶しておき、記憶しておいた楽曲の中から楽曲を選択するため、楽曲を変更したい場合は、予め楽曲を追加しておき、楽曲の曲情報（曲調、楽曲テンポ）を予め解析しておく必要がある。そのため、コンテンツサーバー上の楽曲やラジオで放送中の楽曲をリアルタイムで選択することができない、という課題を有していた。
【０００５】
本発明は、前記従来の課題を解決するもので、コンテンツサーバーやデジタルオーディオプレーヤ、ラジオのオンエアーで放送中の楽曲を選択可能にする音響再生装置を提供することを目的とする。
【課題を解決するための手段】
【０００６】
上記課題を解決するために、本発明の音響再生装置は、楽曲を記憶するメモリと、ユーザーが指定する時刻を受け付け、指定された時刻まで時間の計時を行うタイマーと、楽曲データの属性を解析する解析部と、楽曲データを再生する再生部とを備え、前記解析部は、楽曲データが格納されたコンテンツサーバーから楽曲データのコンテンツリスト情報を受信し、前記コンテンツリストから楽曲データを選択して指定し、指定した楽曲データ及び楽曲データに付随する楽曲情報とを取り出し、目覚まし用の楽曲データとして適しているかどうかを判定し、適している場合、前記メモリに楽曲データ及び楽曲情報を記憶し、前記タイマーが指定された時刻に到達すると、前記メモリに記憶された楽曲データを再生する構成である。
【発明の効果】
【０００７】
本発明の音響再生装置によれば、目覚ましとしてタイマーで設定した時刻に音響再生装置に記憶された楽曲だけでなく、コンテンツサーバーやデジタルオーディオプレーヤ、ラジオのオンエアーで放送中の楽曲の中から、目覚まし用の楽曲としてふさわしい楽曲を、楽曲先頭の所定時間を解析することで選択することができ、これによってユーザーに様々な楽曲を聴く楽しみを与えることができる。
【図面の簡単な説明】
【０００８】
【図１】実施の形態の音響再生装置を含むシステムのブロック図
【図２】実施の形態の音響再生装置の動作を示すフローチャート
【図３】実施の形態のコンテンツ指定情報を示す図
【発明を実施するための形態】
【０００９】
以下に、本発明の実施の形態について、図面を参照しながら説明する。
【００１０】
（実施の形態１）
図１に、実施の形態１にかかる音響再生装置を含むシステムのブロック図を示す。
【００１１】
音響再生装置１０１は、コンテンツサーバー１０２とネットワークで接続され、ＤＡＰ（デジタルオーディオプレーヤ）１０３とはＵＳＢ等のインターフェースで接続される。ＤＡＰ１０３は楽曲のコンテンツデータ１０４を格納している。また音響再生装置１０１は、ラジオ１０５のオンエアー放送を受信可能である。
【００１２】
音響再生装置１０１は、受信部１０６、解析部１０７、メモリ１０８、タイマー１０９、再生部１１０、スピーカ１１１、コンテンツ指定情報１１２、楽曲データバッファ１１３で構成される。
【００１３】
音響再生装置１０１において、ラジオ１０５のオンエアー放送は受信部１０６で受信される。タイマー１０９はユーザーが目覚まし時刻の設定が可能で、時刻情報を管理する。解析部１０７は、タイマー１０９から目覚まし時刻の時刻情報が指定される。コンテンツサーバー１０２やＤＡＰ１０３から、指定された時刻情報になるまでの間に、コンテンツ情報と楽曲データを取得してコンテンツの解析を行う。解析結果をメモリ１０８にコンテンツ指定情報１１２として記憶する。その際、解析した楽曲データそのものを楽曲データバッファ１１３に格納してもいいし、しなくてもよい。
【００１４】
再生部１１０は、タイマー１０９から目覚まし時刻の時刻情報の通知を受けると、コンテンツ指定情報１１２に基づき、楽曲データバッファ１１３にコンテンツが格納されている場合は、格納されたコンテンツの再生を行い、コンテンツが格納されていない場合、コンテンツ指定情報１１２で指定された場所のコンテンツデータをストリーミング再生する。
【００１５】
また、タイマー１０９で目覚まし時刻の指定された時刻になったら、解析部１０７はラジオ１０５の選局と受信を行い、受信した音声データを解析部１０７で解析しながら再生部１１０で再生を行う。
【００１６】
次に、音響再生装置１０１が目覚ましに効果的なコンテンツを選択して再生する動作を説明する。
【００１７】
まず、コンテンツの所在がコンテンツサーバー１０２および、ＤＡＰ１０３の場合について説明する。
【００１８】
図２は、目覚ましに効果的なコンテンツ（楽曲）を選択する処理フローを示したものである。
【００１９】
解析部１０７はコンテンツサーバー１０２およびＤＡＰ１０３からコンテンツリスト情報を取得する（Ｓ１）。取得したコンテンツリスト情報について、任意のコンテンツを指定してコンテンツをストリーミング再生あるいはコンテンツのダウンロード再生を開始する（Ｓ２）。
【００２０】
目覚まし用途としては、曲の先頭部分が目覚ましに効果的なものであれば十分なため、再生はコンテンツの先頭部分を所定時間、例えば数秒程度行い、その部分についての解析を行う（Ｓ３）。
【００２１】
解析は、コンテンツの音量について、あるいは周波数特性、楽曲のテンポなどを判断要素に加えるなどして、目覚ましに効果的かどうかを判断する（Ｓ４）。
【００２２】
解析の結果、目覚ましに効果的で無いと判断された場合、再度コンテンツを指定してストリーミング再生またはデータダウンロードを行う。解析の結果、目覚ましに効果的だと判断された場合、そのコンテンツを、コンテンツ指定情報１１２に記憶する（Ｓ５）。
【００２３】
記憶する情報は、コンテンツ指定情報１１２として、コンテンツサーバー１０２やＤＡＰ１０３内のコンテンツデータの場所やコンテンツのファイル名などの情報や、解析時に再生したデータが楽曲データバッファ１１３にバッファリングが可能である場合にはあらかじめコンテンツデータのバッファリングを行う。図３はコンテンツ指定情報１１２を示す図である。図に示すように、コンテンツ指定情報１１２は再生履歴とコンテンツが紐つけされるように管理されている。再生履歴は、過去に再生されたことがあれば、「済」となっている。コンテンツは、楽曲データバッファ１１３内に記憶されている場合、ファイル名を、記憶されていない場合は、参照先が指定されている。
【００２４】
目覚まし再生を行う際には、コンテンツ指定情報１１２に記憶された情報をもとに、コンテンツサーバー１０２やＤＡＰ１０３内のコンテンツを指定してストリーミング再生やダウンロード再生を行ったり、該当コンテンツが楽曲データバッファ１１３に格納されている場合は、楽曲データバッファ１１３内の楽曲データを再生部１１０で再生するとともに、コンテンツ指定情報１１２の再生履歴を「済」に変更する。再生の際、コンテンツ情報の再生履歴を利用することで、目覚まし再生時に毎回異なったコンテンツの再生を実施することが可能になる。
【００２５】
ラジオ１０５の受信が可能である場合は、ラジオ１０５を目覚まし再生のコンテンツのひとつとして扱うことができる。
【００２６】
ラジオ１０５の場合は、タイマー１０９で指定の時刻になった時点から解析と再生を同時に行っても良いし、あるいは指定の時刻の前から受信を行ってバッファリングしても良い。
【００２７】
まず任意の選局を行って受信を開始し、例えば数秒程度の間、受信音声が目覚ましに効果的な音声データであるかどうかを解析する。その結果、目覚ましに効果的な音声データに該当する判断ができればその選局の状態を維持する。解析の結果、非該当と判断した場合は、次の選局を行って受信を開始し、同様に解析判断を行う。
【００２８】
以上のように、目覚ましとしてタイマーで設定した時刻に音響再生装置に記憶された楽曲だけでなく、コンテンツサーバーやデジタルオーディオプレーヤ、ラジオのオンエアーで放送中の楽曲の中から、目覚まし用の楽曲としてふさわしい楽曲を、楽曲先頭の所定時間を解析することで選択することができ、これによってユーザーに様々な楽曲を聴く楽しみを与えることができる。
【産業上の利用可能性】
【００２９】
本発明は、あらかじめ設定しておいた時刻に楽曲を再生する音響再生装置に有用である。
【符号の説明】
【００３０】
１０１  音響再生装置
１０２  コンテンツサーバー
１０３  ＤＡＰ
１０４  コンテンツデータ
１０５  ラジオ
１０６  受信部
１０７  解析部
１０８  メモリ
１０９  タイマー
１１０  再生部
１１１  スピーカ
１１２  コンテンツ指定情報
１１３  楽曲データバッファ
【図１】
2013195887.tif 000003
【図２】
2013195887.tif 000004
【図３】
2013195887.tif 000005